(57)【特許請求の範囲】
【請求項１】
天面に吹出口と後部側面に吸込口とを形成した本体ケースの内部に、送風機と加湿手段を介して前記吸込口と吹出口を結ぶ通風路を形成し、前記加湿手段に水を供給する給水容器を備えた小型加湿機であって、前記加湿手段は、一定水位の水を貯水する貯水容器と、前記貯水容器の水に下部が浸漬される加湿フィルターとからなり、前記給水容器は、筒状で、左右方向の寸法は、前記本体ケースの左右方向の寸法より小さく、前記本体ケースの後部側面に上下方向に沿わせ、その外周側面が後方へ突出する状態に取り付けられ、前記吸込口が、前記本体ケースの前記給水容器近傍の後部側面に形成され、前記吸込口が、前記給水容器の両側方に形成され、前記加湿フィルターは、その両側部が前記給水容器の両側方に形成された吸込口に対向する状態に配設され、前記本体ケースは、略円筒形状であり、前記本体ケースは、天面の面積が底面の面積より小さく、前記本体ケースの表面及び前記給水容器の表面の共通接線と、前記本体ケースの表面と、前記給水容器の表面とに囲まれる空間が存在し、前記空間に面した前記本体ケースの表面に前記吸込口が設けられていることを特徴とする小型加湿機。
【請求項２】
記給水容器は、略円筒形状であることを特徴とする請求項１に記載の小型加湿機。
【請求項３】
前記給水容器は、前記本体ケースへの取付時、後方への突出側端部が鉛直状になることを特徴とする請求項２に記載の小型加湿機。
【発明の詳細な説明】
【技術分野】
【０００１】
本発明は、給水された水を貯水した貯水槽の水に、一部を浸漬した加湿フィルターに通風して加湿する気化式の加湿機であって、とくに、使用者の近くに置いて運転するパーソナルユースに適した小型加湿機に関するものである。
【背景技術】
【０００２】
従来より、事務所等の広い空間では、湿度の低い乾燥した時季に大型の加湿機を複数台置いて、適度な加湿をしていたが、設置スペースや水の補給等の運転管理の関係から、設置台数に限度があり、快適な湿度状態にまでは至っていないこともあった。
【０００３】
また、勉強部屋のように、在室者が一箇所に長時間座っている所では、その在室者のまわりのごく限られた空間が快適な湿度状態になれば、目的が達成される。
【０００４】
このようなことから、使用者の周囲を効率よく加湿して、使用者のまわりを快適な湿度状態にする小型加湿機が提案されている（例えば、特許文献１参照）。
【０００５】
特許文献１に記載の加湿器は、外郭を形成する筐体の内部に設けられた送風ファンによって、筐体の前面となる一側面の中央部に設けられた吸い込み口から、その付近の空気を吸い込み、吸い込んだ空気を内蔵された加湿ユニットにより加湿した後、筐体内に同心状に設けられた内部ケースと筐体との間に形成された環状の流路に送り、この流路を通過した加湿空気を筐体の前記一側面の外周側（吸い込み口を囲む形状）に形成された環状の開口部から、前方（使用者が存在する方向）に向けて吹き出す構成となっている。
【０００６】
この構成により、筐体の一側面の外周側に形成された環状の開口部から加湿された空気が吹き出され、いわゆるエアカーテン状の流れを形成し、さらに、中央部の吸い込み口で加湿器の前方の空気を吸い込むことで、エアカーテン状の流れは中央側に引き寄せられるように湾曲する。その結果、エアカーテン状の流れの内側は、外側に比べ高湿度の領域となる。
【０００７】
このようにして、加湿器の前方の限られた空間を重点的に加湿することができる。
【先行技術文献】
【特許文献】
【０００８】
【特許文献１】特開２００６−５７８７７号公報
【発明の概要】
【発明が解決しようとする課題】
【０００９】
このような特許文献１に記載の加湿器では、筐体の前面となる一側面の外周側に形成された環状の開口部から吹き出された空気の流れが、前記一側面の中央側に形成された吸込み口に湾曲して引き寄せられて吸込まれ、加湿器とその付近との間を循環するエアカーテン状の流れが形成されるものなので、吹出口と吸込口をともに筐体の前面に設けたものである。
【００１０】
そのため、加湿器は、事務所や勉強部屋の机の上に置かれて、高さの低い前面の前に書類が立てられたり積まれたりすると、吹出口から吸込口への通風が遮られてしまい、使用者に加湿空気が到達しない、という課題を有していた。
【００１１】
そこで、本発明は、上記従来の課題を解決して、事務所や勉強部屋の机の上等の狭い場所であって、まわりに物が置かれやすい場所に置かれても、吹出口と吸込口の通風が遮られず、所定の加湿ができる小型加湿機を提供することを目的とする。
【課題を解決するための手段】
【００１２】
そして、この目的を達成するために、本発明の小型加湿機は、天面に吹出口と後部側面に吸込口とを形成した本体ケースの内部に、送風機と加湿手段を介して前記吸込口と吹出口を結ぶ通風路を形成し、前記加湿手段に水を供給する給水容器を備えた小型加湿機であって、前記加湿手段は、一定水位の水を貯水する貯水容器と、前記貯水容器の水に下部が浸漬される加湿フィルターとからなり、前記給水容器は、筒状で、左右方向の寸法は、前記本体ケースの左右方向の寸法より小さく、前記本体ケースの後部側面に上下方向に沿わせ、その外周側面が後方へ突出する状態に取り付けられ、前記吸込口が、前記本体ケース
の前記給水容器近傍の後部側面に形成され、前記吸込口が、前記給水容器の両側方に形成され、前記加湿フィルターは、その両側部が前記給水容器の両側方に形成された吸込口に対向する状態に配設され、前記本体ケースは、略円筒形状であり、前記本体ケースは、天面の面積が底面の面積より小さく、前記本体ケースの表面及び前記給水容器の表面の共通接線と、前記本体ケースの表面と、前記給水容器の表面とに囲まれる空間が存在し、前記空間に面した前記本体ケースの表面に前記吸込口が設けられていることを特徴とするものであり、これにより所期の目的を達成するものである。
【発明の効果】
【００１３】
本発明によれば、吸込口は、その側方、後方に書類等が置かれたり、機器の後部が壁等に当接する状態で置かれていても、塞がれることがなく、また、吹出口も天面に設けられて、前方および側方で塞がれることがない、という効果を得ることができる。
【図面の簡単な説明】
【００１４】
【図１】本発明の実施の形態１の小型加湿機を示す前方からの斜視図
【図２】同小型加湿機の後方からの斜視図
【図３】同小型加湿機の要部断面図
【発明を実施するための形態】
【００１５】
本発明の請求項１記載の小型加湿機は、天面に吹出口と後部側面に吸込口とを形成した本体ケースの内部に、送風機と加湿手段を介して前記吸込口と吹出口を結ぶ通風路を形成し、前記加湿手段に水を供給する給水容器を備えた小型加湿機であって、前記加湿手段は、一定水位の水を貯水する貯水容器と、前記貯水容器の水に下部が浸漬される加湿フィルターとからなり、前記給水容器は、筒状で、左右方向の寸法は、前記本体ケースの左右方向の寸法より小さく、前記本体ケースの後部側面に上下方向に沿わせ、その外周側面が後方へ突出する状態に取り付けられ、前記吸込口が、前記本体ケースの前記給水容器近傍の後部側面に形成され、前記吸込口が、前記給水容器の両側方に形成され、前記加湿フィルターは、その両側部が前記給水容器の両側方に形成された吸込口に対向する状態に配設され、前記本体ケースは、略円筒形状であり、前記本体ケースは、天面の面積が底面の面積より小さく、前記本体ケースの表面及び前記給水容器の表面の共通接線と、前記本体ケースの表面と、前記給水容器の表面とに囲まれる空間が存在し、前記空間に面した前記本体ケースの表面に前記吸込口が設けられていることを特徴とするものであり、給水容器は、筒状で、左右方向の寸法は、本体ケースの左右方向の寸法より小さく、本体ケースの後部側面から後方へ突出し、吸込口が、本体ケースの給水容器近傍の後部側面に形成され、本体ケースの表面及び給水容器の表面の共通接線と、本体ケースの表面と、給水容器の表面とに囲まれる空間が存在し、空間に面した本体ケースの表面に前記吸込口が設けられているので、吸込口は、その側方、後方に書類等が置かれたり、機器の後部が壁等に当接する状態で置かれていても、塞がれずに吸い込みに必要な空間を確保すことができ、吸込口が、給水容器の両側方に形成されたので、両側方に形成された吸込口は、いずれも塞がれずに、吸い込みに必要な空間を確保すことができ、吸込口の開口面積を大きくしても、機器を置く場所のいかんに関わらず、吸込口が塞がれることがなくなり、加湿フィルターは、その両側部が給水容器の両側方に形成された吸込口に対向する状態に配設されたので、両側方に形成された吸込口が塞がれずに本体ケース内に吸い込まれてくる空気を、効率よく加湿フィルターに通風することができるので、常に必要風量を確保して、吸い込まれてくる空気を効率よく通風して、加湿性能を向上させることができ、本体ケースは、略円筒形状のものであり、機器の側方、後方のいずれに物が置かれたり、壁等が当接しても、吸込口のまわりに確保できる空間が増し、機器を置く場所のいかんに関わらず、吸込口への影響を減少でき、本体ケースは、天面の面積が底面の面積より小さく、本体ケースの側面が、上方へ向かうにしたがい内方へ傾く傾斜面となるので、吸込口のまわりに確保できる空間が上方側で増し、吸込口への影響をより減少できる。
【００２０】
また、請求項２記載の小型加湿機は、請求項１に記載の小型加湿機において、前記給水容器は、略円筒形状ものであり、吸込口のまわりに確保できる空間が、後方側で増大するとともに、この空間から吸込口へ吸い込まれていく空気流が、給水容器の円筒面に沿ってスムーズに流れ、吸込口への影響をさらに減少できるとともに、吸込口への通風性を向上させることができる。
【００２１】
また、請求項３記載の小型加湿機は、請求項２に記載の小型加湿機において、記給水容器は、前記本体ケースへの取付時、後方への突出側端部が鉛直状になるものであり、給水容器の後方突出側端部を、上下方向全体にわたり垂直の壁等に当接させて、機器を置くことができるので、機器の後部側に吸込口への吸い込みに必要な空間を確保したうえで、機器を倒れにくい安定した状態に置くことができる。
【００２２】
以下、本発明の実施の形態について、図１〜図３を参照しながら説明する。
【００２３】
（実施の形態１）
本発明の実施の形態１の小型加湿機は、図１〜図３に示すように、天面に吹出口１を設け、後部側面の下部に吸込口２を設けた略円筒状の本体ケース３と、本体ケース３の内部に、吸込口２と吹出口１を連通して結んだ通風路４に配設された送風機５および加湿手段６と、加湿手段６に水を供給する給水容器７とからなる。
【００２４】
加湿手段６は、本体ケース３内の下部に配設されており、上面を開口し、一定水位の水を貯水する貯水容器８と、貯水容器内に上面の開口から挿入して下部が浸漬された加湿フィルター９とからなる。
【００２５】
給水容器７は、略円筒形状をしており、給水容器７の左右方向の寸法は、本体ケース３の左右方向の寸法より小さく、本体ケース３の後部側面に、縦長姿勢で、外周の一側面部が本体ケース３の側面に食い込んで上下方向に添い、他側面部が後方へ突出する状態で保持されている。
【００２６】
そして、図２に示すように、本体ケース３の後部側面における給水容器７の両側方近傍には吸込口２が設けられ、さらに、図３に示すように、本体ケース３の内部には、両方の吸込口２に対向する幅で加湿フィルター９が張設されている。
【００２７】
また、本体ケース３は、天面の面積が底面の面積より小さく、外周側面が上方にいくにしたがって内方へ傾く傾斜面となっている。
【００２８】
一方、給水容器７は、図１に示すように、後方への突出側端部が鉛直をなして本体ケース３に取り付けられる。
【００２９】
次に、上記構成の小型加湿機が、事務所や勉強部屋等の机のうえに置いて使用される状況に付いて説明する。
【００３０】
機器のまわりに書類等が立てたり積んで置かれた場合、その置かれた箇所が本体ケース３の前方であれば、吹出１口は天面にあるので、上方へ吹き出して加湿空気の吹出しに支障は生じず、また、側方から後方にかけて置かれた場合、本体ケース３は円筒状であるうえに、給水容器７が本体ケース３の外周側面から突出しているので、書類等が近接した場合であっても、吸込口２のまわりに風路となる空間が確保され、さらに、本体ケース３の外周側面が上方側を内方へ傾けた傾斜面となっているので、吸込口２の上方側に形成される空間が増すこととなる。
【００３１】
また、本体ケース３の後部にある給水容器７を、机に接する事務所の壁面や隣の席との仕切り板等に当接させて置いた場合、給水容器７は円筒状であるので、その円筒面によって吸込口２の周りに空間が形成され、吸込口２への風路となる空間が形成される。そして、吸込口２は、給水容器７の両側方に形成されて開口面積が広くなっていても、両吸込口２，２とも風路となる空間は確保されるとともに、吸込口２，２への吸込流は給水容器７の円弧状の面に沿ってなめらかなものとなり、通風性が向上する。
【００３２】
また、給水容器７の後方の突出側端部を壁面等に当接させた場合、この突出側端部は鉛直状になっているので、壁面等の垂直面に上下方向全体にわたり沿わせて置くことができ、機器を倒れにくい安定した状態で置くことができる。
【００３３】
このように、機器のまわりに書類等がどのように存在するかといった機器を置く場所のいかんに関らず、吸込口２が塞がれずに本体ケース３内への吸込風量が常に確保される。
【００３４】
そして、図３に示すように、本体ケース３内に吸い込まれた空気は、加湿フィルター９が給水容器７の両側方に形成された吸込口２，２に対向して張設されているので、加湿フィルター９を効率よく通過して通風されることとなる。
【産業上の利用可能性】
【００３５】
本発明に係る小型加湿機は、とくに吸込口において、機器の側方、後方に書類等が置かれたり、また、機器の後部が壁面等に当接する状態で置かれていても、吸込口は塞がれることがないという効果を有し、設置スペースが狭く、まわりに物が置かれやすい場所で使用される加湿機に有用である。
【符号の説明】
【００３６】
１  吹出口
２  吸込口
３  本体ケース
４  通風路
５  送風機
６  加湿手段
７  給水容器
８  貯水容器
９  加湿フィルター
【図１】
0005434834.tif 000002
【図２】
0005434834.tif 000003
【図３】
0005434834.tif 000004